(57)【特許請求の範囲】
【請求項１】
遊技機設置設備の上側部材と下側部材との間に嵌め込まれたパチンコ遊技機の外枠の上横枠部材を前記遊技機設置設備の上側部材に前後方向に移動可能に取り付ける上側取付器具と、前記外枠の下横枠部材を前記遊技機設置設備の下側部材に固定する下側取付器具とを具備した遊技機取付装置であって、前記上側取付器具が前記遊技機設置設備の上側部材に設けられる設備側部材と前記外枠の上横枠部材に設けられる枠側部材とこの枠側部材に設けられる移動部材とこの移動部材に設けられるロック部材と前記移動部材に設けられるハンドルとを具備し、前記設備側部材が前記遊技機設置設備の上側部材の後面に設けられる取付部とこの取付部の下縁部より後方に突出した張り出し部とこの張り出し部の後縁部より下方に突出した連結部とこの連結部に前後方向に貫通して設けられた連結孔とを具備し、前記枠側部材が前記外枠の上側横部材の後面と前記連結部とに対向する結合部とを具備し、前記移動部材が前記枠側部材の結合部から後方に突出するように前記結合部に固定されて設けられるとともにこの移動部材の前記結合部から後方に突出する部分に雄螺子部を具備し、前記ロック部材及びハンドルが前記移動部材の雄螺子部に適合する雌螺子部を別々に具備し、前記移動部材の雄螺子部が前記連結部の連結孔に前後方向に突出するように挿入され、前記ロック部材の雌螺子部が前記連結部と前記結合部との間における前記移動部材の雄螺子部に装着され、前記ハンドルの雌螺子部が前記連結孔より後方に突出した前記移動部材の雄螺子部に装着され、前記連結部と前記結合部との間における前記移動部材の雄螺子部に装着された雌螺子部を具備した前記ロック部材と前記連結孔より後方に突出した前記移動部材の雄螺子部に装着された雌螺子部を具備した前記ハンドルとが前記設備側部材の連結部を前後方向から挟み付けてパチンコ遊技機を遊技機設置設備に所定の傾斜角度で取り付けることを特徴とする遊技機取付装置。
【請求項２】
前記移動部材が有頭ボルトで構成され、前記枠側部材が前記結合部に前後方向に貫通して設けられた結合孔を備え、前記移動部材を構成する有頭ボルトの雄螺子部が前記結合部の前方より前記結合孔に挿入され、この結合孔より後方に突出した前記移動部材を構成する有頭ボルトの雄螺子部に固定部材に設けられ雌螺子部が装着され、前記移動部材を構成する有頭ボルトの頭部と前記固定部材とが前記結合部を前後方向から挟み付けることで、移動部材が結合部に固定されたことを特徴とする請求項１記載の遊技機取付装置。
【請求項３】
遊技機設置設備の上側部材と下側部材との間に嵌め込まれたパチンコ遊技機の外枠の上横枠部材を前記遊技機設置設備の上側部材に左右に取り付けられる左右の上側取付器具と、前記外枠の下横枠部材を前記遊技機設置設備の下側部材に固定する下側取付器具と、前記左右の上側取付器具のそれぞれに設けられてパチンコ遊技機の傾斜角度を検出する左右の傾斜計と、前記左右の傾斜計から出力された傾斜角度を別々に表す数値で表示する計器側モニタ部とを具備した遊技機取付装置であって、前記左右の傾斜計は当該左右の傾斜計の内部に設けられた光源からの投光を前記左右の傾斜計より下方向に離れて設けられた左右の反射板に照射し当該左右の反射板からの反射光を前記左右の傾斜計の内部に設けられた受光素子で集光して前記左右の傾斜計と前記左右の反射板との間の上下方向の直線距離を傾斜角度に変換した電気信号を前記左右の計器側モニタ部に別々に出力する構成であり、前記左右の計器側モニタ部は前記左右の傾斜計で測定した傾斜角度を別々に表す数値が真後から可視できるように前記左右の傾斜計よりも後側で前記左右の上側取付器具のそれぞれに設けられたことを特徴とする遊技機取付装置。
【発明の詳細な説明】
【技術分野】
【０００１】
本発明は、パチンコ遊技機を遊技機設置設備に取り付ける、遊技機取付装置に関する。
【背景技術】
【０００２】
図６を用いて、特許文献１で開示された遊技機取付装置１００について説明する。図６に示した遊技機取付装置１００は、パチンコ遊技機１０１が遊技機設置設備１０２の上側部材１０３と下側部材１０４との間に嵌め込まれ、パチンコ遊技機１０１における外枠１０５の上横枠部材１０６に設けられた枠側部材１０７の棒部材１０８が上側部材１０３に設けられた設備側部材１０９の孔１１０に挿入され、パチンコ遊技機１０１の遊技機設置設備１０２への取付位置が決められ、外枠１０５の下横枠部材１１１が下側部材１０４に有頭釘又は有頭螺子釘等の下側取付器具１１２で固定された状態において、外枠１０５の上部が人為操作で前後方向に移動されて、パチンコ遊技機１０１の傾斜角度θが所定の角度に決められた後、設備側部材１０９に設けられた有頭ボルト１１３が人為操作で操作されて棒部材１０８を固定するようになっている。パチンコ遊技機１０１の傾斜角度θは、遊技盤１１４の前面としての遊技面１１５と下側部材１０４の上面１１６とで後側に成す挟角と同義語である。
【０００３】
しかしながら、図６に示した遊技機取付装置１００は、外枠１０５の上部が人為操作で前後方向に移動されて、パチンコ遊技機１０１の傾斜角度θが所定の角度に決められる構成であるので、パチンコ遊技機１０１の傾斜角度θを所定の角度に決める操作が面倒であり、又、有頭ボルト１１３を下部から操作する構造になっているので、有頭ボルト１１３の操作が面倒である。
【０００４】
図７を用いて、特許文献２で開示された遊技機取付装置２００について説明する。図７に示した遊技機取付装置２００は、パチンコ遊技機２０１が遊技機設置設備２０２の上側部材２０３と下側部材２０４との間に嵌め込まれ、パチンコ遊技機２０１における外枠２０５の上横枠部材２０６に設けられた枠側部材２０７の移動部材２０８が上側部材２０３に設けられた設備側部材２０９の孔２１０に挿入され、パチンコ遊技機２０１の遊技機設置設備２０２への取付位置が決められ、外枠２０５の下横枠部材２１１が下側部材２０４に下側取付器具２１２で固定された状態において、設備側部材２０９に設けられたピニオンギヤ２１３が人為操作で回転されるのに伴い、ピニオンギヤ２１３に噛み合わされたラックギヤ２１４を具備した移動部材２０８が前後方向に移動してパチンコ遊技機２０１の傾斜角度θが所定の角度に決められた後、設備側部材２０９に設けられた押圧ボルト２１５が人為操作で締め付けられて移動部材２０８を固定するようになっている。パチンコ遊技機２０１の傾斜角度θは、遊技盤２１６の前面としての遊技面２１７と下側部材２０４の上面２１８とで後側に成す挟角と同義語である。
【０００５】
しかしながら、図７に示した遊技機取付装置２００は、ピニオンギヤ２１３を側部から操作する構造になっているので、パチンコ遊技機２０１の傾斜角度θを所定の角度に決めるピニオンギヤ２１３の操作が面倒である。又、押圧ボルト２１５を上部から操作する構造になっているので、押圧ボルト２１５の操作が面倒である。
【先行技術文献】
【特許文献】
【０００６】
【特許文献１】特開昭６３−２２６３８５号公報
【特許文献２】特許第５１４０１４４号公報
【発明の概要】
【発明が解決しようとする課題】
【０００７】
本発明は、上記背景技術に鑑みてなされたものであり、パチンコ遊技機の傾斜角度を所定の角度に決める操作が容易な、遊技機取付装置の提供を目的とする。
【課題を解決するための手段】
【０００８】
本発明は、遊技機設置設備の上側部材と下側部材との間に嵌め込まれたパチンコ遊技機における外枠の上横枠部材を前記遊技機設置設備の上側部材に前後方向に移動可能に取り付ける上側取付器具と、前記外枠の下横枠部材を前記遊技機設置設備の下側部材に固定する下側取付器具とを具備した遊技機取付装置であって、前記上側取付器具が前記遊技機設置設備の上側部材に設けられる設備側部材と前記外枠の上横枠部材に設けられる枠側部材とこの枠側部材に設けられる移動部材とこの移動部材に設けられるロック部材と前記移動部材に設けられるハンドルとを具備し、前記設備側部材が前記遊技機設置設備の上側部材の後面に設けられる取付部とこの取付部の下縁部より後方に突出した張り出し部とこの張り出し部の後縁部より下方に突出した連結部とを具備し、前記枠側部材が前記外枠の上側横部材の後面と前記連結部とに対向する結合部を具備し、前記移動部材が前記枠側部材の結合部から後方に突出するように前記結合部に設けられるとともにこの移動部材の前記結合部から後方に突出する部分に雄螺子部を具備し、前記ロック部材及びハンドルが前記移動部材の雄螺子部に適合する雌螺子部を別々に具備し、前記ロック部材の雌螺子部と前記ハンドルの雌螺子部とが前記移動部材の雄螺子部に装着され、この雄螺子部に装着された雌螺子部を具備した前記ロック部材と前記雄螺子部に装着された雌螺子部を具備した前記ハンドルとが前記設備側部材の連結部を前後方向から挟み付けてパチンコ遊技機を遊技機設置設備に所定の傾斜角度で取り付けることを特徴とするか、又、遊技機設置設備の上側部材と下側部材との間に嵌め込まれたパチンコ遊技機の外枠の上横枠部材を前記遊技機設置設備の上側部材に左右に取り付けられる左右の上側取付器具と、前記外枠の下横枠部材を前記遊技機設置設備の下側部材に固定する下側取付器具と、前記左右の上側取付器具のそれぞれに設けられてパチンコ遊技機の傾斜角度を検出する左右の傾斜計と、前記左右の傾斜計から出力された傾斜角度を別々に表す数値で表示するモニタ部とを具備した遊技機取付装置であって、前記左右の上側取付器具が真後からの人為操作で前後方向に移動される構成であることを特徴とする。
【発明の効果】
【０００９】
本発明は、上側取付器具が真後からの人為操作で前後方向に移動されるので、パチンコ遊技機の傾斜角度を所定の角度に決める操作が容易であるという効果がある。又、本発明において、移動部材の結合部から後方に突出する部分の雄螺子部にロック部材の雌螺子部とハンドルの雌螺子部とが装着されることで、ロック部材とハンドルとの回転操作で移動部材を前側又は後方に移動して、パチンコ遊技機の傾斜角度を連続的に微調整できるという効果がある。本発明において、設備側部材の取付部には前後方向に貫通する取付孔が設けられれば、有頭ビス又は有頭螺子釘等の固定具が取付部の真後から取付孔を経由して上側部材に装着され、固定具の頭部が取付部における取付孔の周りの後面に接触して取付部を上側部材に真後から前側に押し付け、取付部が固定具で上側部材に固定されて設けられるという効果がある。本発明において、設備側部材には取付部の上縁部から前側に突出した当接部が設けられれば、当接部が上側部材の上面に重ね合わされることで、設備側部材の上側部材に対する上下方向の取付位置が決まり、取付作業が容易になるという効果がある。本発明において、移動部材が螺子棒又は有頭ボルトで構成されれば、移動部材を市販の螺子棒又は市販の有頭ボルトで構成することが可能であるという効果がある。
【図面の簡単な説明】
【００１０】
【図１】発明を実施するための形態１に係るパチンコ遊技機を遊技機設置設備に取り付けた遊技機取付装置を縦方向に切断して示した断面図。
【図２】発明を実施するための形態１に係る上側取付器具を分解して示した斜視図。
【図３】発明を実施するための形態１に係るパチンコ遊技機を遊技機設置設備に取り付けた遊技機取付装置を示した背面図。
【図４】発明を実施するための形態２に係るパチンコ遊技機を遊技機設置設備に取り付けた遊技機取付装置を縦方向に切断して示した断面図を含む構成図。
【図５】発明を実施するための形態２に係るパチンコ遊技機を遊技機設置設備に取り付けた遊技機取付装置を示した背面図を含む構成図。
【図６】特許文献１で開示されたパチンコ遊技機を遊技機設置設備に取り付けた遊技機取付装置を縦方向に切断して示した断面図。
【図７】特許文献２で開示されたパチンコ遊技機を遊技機設置設備に取り付けた遊技機取付装置を縦方向に切断して示した断面図。
【発明を実施するための形態】
【００１１】
図２を用いて、発明を実施するための形態１に係る上側取付器具１ついて説明する。図２に示した上側取付器具１は、設備側部材２、枠側部材３、移動部材４、固定部材５、ロック部材６、ハンドル７を具備する。
【００１２】
設備側部材２としては、金属製でなくても適用可能であるが、金属製で剛性を確保し、金属板に曲げ加工及び穴あけ加工を施して構成された態様を例示し、水平面状に構成された板状の当接部１１、当接部１１に上下方向に貫通して設けられた予備孔部１２、当接部１１の後縁部より下方に鉛直面状に突出した板状の取付部１３、取付部１３に前後方向に貫通して設けられた取付孔１４、取付部１３の下縁部より後方に水平面状に突出した板状の張り出し部１５、張り出し部１５の後縁部より下方に鉛直面状に突出した板状の連結部１６、連結部１６に前後方向に貫通して設けられた連結孔１７を具備する。当接部１１は、取付部１３の上縁部から前側に突出した態様と概念できる。
【００１３】
予備孔部１２としては、取付孔部として予備に設けられたものであり、設けられなくても良く、１個でも適用可能であるが、当接部１１に左右方向に分かれて複数個設けられ、設備側部材２の位置ずれを防止する態様を例示した。取付孔１４としては、１個でも適用可能であるが、取付部１３に左右方向に分かれて複数個設けられ、設備側部材２の位置ずれを防止する態様を例示した。取付孔１４は、前側より見て横長孔又は前後長穴であっても適用可能であるが、前側より見て丸孔に構成し、取付孔１４に収容された螺子釘等の固定具が位置ずれしにくくなっている。
【００１４】
連結孔１７としては、連結部１６に左右方向に分かれて複数個設けられた態様を例示した。連結孔１７は、前側より見て丸穴であっても適用可能であるが、左右方向の幅よりも上下方向の寸法が大きな縦長孔に構成し、移動部材４が連結孔１７に収容しやすくなっている。連結孔１７としては、１個でも適用可能であるが、連結部１６に左右方向に分かれて複数個設けられ、１個を移動部材４の挿入用として使用し、残りを予備として設けた態様を例示した。
【００１５】
枠側部材３としては、金属製でなくても適用可能であるが、金属製で剛性を確保し、金属板に曲げ加工及び穴あけ加工を施して構成された態様を例示し、水平面状に構成された板状の固定部２１、固定部２１に上下方向に貫通して設けられた固定孔２２、固定部２１の後縁部より上方に鉛直面状に突出した板状の結合部２３、結合部２３に前後方向に貫通して設けられた結合孔２４を具備する。
【００１６】
固定孔２２としては、１個でも適用可能であるが、枠側部材３の位置ずれを防止するように複数個設けられ、例えば、固定部２１を上より見て左右及び前後に３列ずつの合計で９個設けられ、現在、パチンコ遊技機製造会社の全てから遊技店業界に供給された殆どのパチンコ遊技機に適用できることを確認した態様を例示した。
【００１７】
固定孔２２は、固定部２１を上より見て横長孔又は前後長穴であっても適用可能であるが、固定部２１を上より見て丸孔に構成し、固定孔２２に収容された螺子釘等の固定具が位置ずれしにくくなっている。
【００１８】
結合孔２４としては、結合部２３に左右方向に分かれて複数個設けられた態様を例示した。結合孔２４は、左右方向の幅よりも上下方向の寸法が大きな縦長孔でも適用可能であるが、前側より見て丸穴に構成し、結合孔２４に収容された移動部材４が位置ずれしにくくなっている。結合孔２４としては、１個でも適用可能であるが、結合部２３に左右方向に分かれて複数個設けられ、１個を移動部材４の挿入用として使用し、残りを予備として設けた態様を例示した。
【００１９】
移動部材４は螺子棒又は有頭ボルトで構成されている。有頭ボルトとして六角穴付ボルト又はボタンキャップボルト或いは蝶ボルト等でも適用可能であるが、一般的な六角ボルトを例示し、雄螺子部２５が先端部から頭部２６まで形成されており、頭部２６と固定部材５とが結合部２３を前後方向から挟み付けることで、移動部材４が結合部２３に固定される態様を例示した。固定部材５は、移動部材４の雄螺子部２５に適合する雌螺子部２７を固定部材５に前後方向に貫通するように具備する。固定部材５としては、四角ナットやゆるみ止めナット等でも適用可能であるが、一般的な六角ナットを例示した。ロック部材６は、移動部材４の雄螺子部２５に適合する雌螺子部２８をロック部材６に前後方向に貫通するように具備する。ロック部材６としては、四角ナットやゆるみ止めナット等でも適用可能であるが、一般的な六角ナットを例示した。
【００２０】
ハンドル７は、合成樹脂製でなくても適用可能であるが、合成樹脂製で握りやすさを追求し、円盤状の基部３１における中心部の前部に雌螺子体３２を備え、基部３１における中心部の後部に逃げ孔部３３を備え、基部３１の周縁部に周面より中心部の側に窪む前後方向及び直径方向外側に開口した凹部３４を備えた滑り止めの発揮できる態様を例示した。逃げ孔部３３は、雌螺子体３２より突出した移動部材４の雄螺子部２５の先端部との干渉を避ける構成になっている。雌螺子体３２は、移動部材４の雄螺子部２５に適合する雌螺子部３２Ａを雌螺子体３２に前後方向に貫通するように具備する。雌螺子体３２としては、四角ナットやゆるみ止めナット等でも適用可能であるが、一般的な六角ナットを例示した。
【００２１】
ハンドル７としては、雌螺子体３２をハンドル７の成形型にインサート部材として配置したインサート成形により製造しても適用可能であるが、図１に示したように、雌螺子体３２の外周部を雌螺子部３２Ａの回転方向と同じ方向に回り止め可能に嵌め込まれる収容室３５がハンドル７の前部に設けられ、雌螺子体３２がハンドル７の前側から収容室３５に嵌め込まれ雌螺子部３２Ａの回転方向と同じ方向に回り止めされて装着された態様でも良い。雌螺子体３２は、四角ナットやゆるみ止めナット等でも適用可能であるが、一般的な六角ナットを例示した。
【００２２】
図１を用いて、発明を実施するための形態１に係る遊技機取付装置６１について説明する。図１に示した遊技機取付装置６１は、遊技機設置設備５１の上側部材５２と下側部材５３との間に嵌め込まれたパチンコ遊技機４１における外枠４２の上横枠部材４４を遊技機設置設備５１の上側部材５２に前後方向に移動可能に取り付ける上側取付器具１と、外枠４２の下横枠部材４５を遊技機設置設備５１の下側部材５３に固定する下側取付器具６２とを具備する。
【００２３】
パチンコ遊技機４１の外枠４２は、左右の縦枠部材４３と上下の横枠部材４４，４５とで正面より見て縦長な方形の空間を囲む形状に構成される。上の横枠部材４４は上横枠部材４４と同義語であり、下の横枠部材４５は下横枠部材４５と同義語である。外枠４２に遊技盤４６を装着した内枠４７を開閉可能に装着することで、パチンコ遊技機４１が構成される。内枠４７の前部には、遊技盤４６の前面を覆う透明なガラスを備えた前扉、玉発射機構、玉受け皿等の部品が設けられる。遊技盤４６の前面には、多数本の遊技釘、複数個の入賞部品、演出表示器等の部品が設けられる。遊技機設置設備５１に取り付けられパチンコ遊技機４１の傾斜角度θは、遊技盤４６の前面としての遊技面４８と遊技機設置設備５１の下側部材５３の上面５７とで後側に成す挟角と同義語である。
【００２４】
遊技機設置設備５１は、遊技店に設置される島設備と呼称されるものであって、上側部材５２と下側部材５３と化粧部材５４と棚部５５と腰部材５６とを備える。棚部５５は、下側部材５３のパチンコ遊技機４１よりも前に出っ張った部分であって、下側部材５３と別体に構成される場合もある。
【００２５】
図１に示したように、パチンコ遊技機４１の外枠４２が遊技機設置設備５１の上側部材５２と下側部材５３との間に嵌め込まれ、パチンコ遊技機４１の下横枠部材４５が遊技機設置設備５１の下側部材５３に対する取付位置が決められ、下側取付器具６２が下横枠部材４５の上方から下横枠部材４５を経由して遊技機設置設備５１の下側部材５３に装着されて下横枠部材４５を下側部材５３に固定し、又、上側取付器具１がパチンコ遊技機４１の上横枠部材４４を遊技機設置設備５１の上側部材５２に前後方向に移動可能に取り付けられ、パチンコ遊技機４１の傾斜角度θが所定の角度になるように決められた状態において、ロック部材６とハンドル７とがハンドル７の真後から人為操作で回転されて連結部１６を前後方向から挟み付けることにより、遊技機取付装置６１がパチンコ遊技機４１を遊技機設置設備５１に所定の傾斜角度θで取り付けるようになっている。パチンコ遊技機４１の傾斜角度θは、遊技盤４６の前面としての遊技面４８と遊技機設置設備５１の下側部材５３の上面５７とで後側に成す挟角と同義語である。
【００２６】
上側取付器具１がパチンコ遊技機４１の上横枠部材４４を遊技機設置設備５１の上側部材５２に前後方向に移動可能に取り付けられる態様について説明する。上側取付器具１の設備側部材２が遊技機設置設備５１の上側部材５２に設けられる場合は、設備側部材２の当接部１１が上側部材５２の上に重ね合わされ、設備側部材２の取付部１３が上側部材５２の後面に重ね合わされ、有頭ビス又は有頭螺子釘等の固定具６３が取付部１３の真後から取付部１３の取付孔１４を経由して上側部材５２に装着され、固定具６３の頭部が取付部１３における取付孔１４の周りの後面に接触して取付部１３を上側部材５２に真後から前側に押し付け、取付部１３が固定具６３で上側部材５２に固定されて設けられる。
【００２７】
設備側部材２において、当接部１１が設けられていなくても適用可能であるが、当接部１１が上側部材５２の上に重ね合わされることで、設備側部材２の上側部材５２に対する上下方向の取付位置が決まり、取付作業が容易になる。図示のされていない先端の尖った突起が当接部１１の上側部材５２と接触する下面より下方に突出して設けられれば、当接部１１が上側部材５２の上に重ね合わされる時に前記先端の尖った突起が上側部材５２に食い込み、当接部１１が上側部材５２に対して前後方向に位置ずれしにくくなる。
【００２８】
移動部材４が枠側部材３の結合部２３から後方に突出するように結合部２３に設けられる場合は、雄螺子部２５の先端から結合部２３の前側から複数個のうちの１個の結合孔２４に挿入され、移動部材４の結合孔２４より後側に突出した雄螺子部２５に固定部材５及びロック部材６が装着され、固定部材５が結合部２３の側に締め付けられ、頭部２６と固定部材５とが結合部２３を前後方向から挟み付けることで、移動部材４が結合部２３に固定される。
【００２９】
移動部材４が結合部２３に溶接等で固定して固定部材５と結合孔２４とが省略することも考えられるが、図１に示したように結合部２３に結合孔２４を複数個設け、複数個のうちの１個の結合孔２４を移動部材４の取り付けに用いるようにしたので、結合部２３に対する移動部材４の取付位置を選択することができる。
【００３０】
図１に戻り、前記のように移動部材４を具備した枠側部材３がパチンコ遊技機４１の上横枠部材４４に設けられる場合は、枠側部材３の固定部２１が上横枠部材４４の下面に重ね合わされ、移動部材４の頭部２６が上横枠部材４４の後面に重ね合わされることで、枠側部材３の上横枠部材４４への前後方向及び上下方向の取付位置が決まり、取付作業が容易になる。
【００３１】
固定部２１に目印を設け、この目印で枠側部材３の上横枠部材４４への前後方向の取付位置を決めても適用可能であるが、前記のように頭部２６を上横枠部材４４の後面に重ね合わされることで、枠側部材３の上横枠部材４４への前後方向の取付位置を決める方が取付構造及び取付作業が簡単になる。
【００３２】
前記のように枠側部材３の上横枠部材４４への取付位置が決まった状態において、有頭ビス又は有頭螺子釘等の固定具６４が固定具６４の尖端から固定部２１の固定孔２２を経由して上横枠部材４４に装着され、固定具６４の頭部が固定部２１における固定孔２２の周りの下面に接触して固定部２１を上横枠部材４４に真下から上側に押し付け、固定部２１が固定具６４で上横枠部材４４に固定される。
【００３３】
又、設備側部材２が上側部材５２に設けられる時、又は、枠側部材３が上横枠部材４４に設けられる時、又は、パチンコ遊技機４１が遊技機設置設備５１の上側部材５２と下側部材５３との間に遊技機設置設備５１の前側から嵌め込まれる時の何れかにおいて、移動部材４のロック部材６よりも後方に突出した雄螺子部２５が雄螺子部２５の先端から設備側部材２の複数個のうちの１個の連結孔１７に前側から挿入される。
【００３４】
前記のように移動部材４の雄螺子部２５が連結孔１７に前側から挿入され、移動部材４の連結孔１７よりも後側に突出した雄螺子部２５にハンドル７に設けられた雌螺子体３２の雌螺子部３２Ａを装着されることにより、ハンドル７及び雌螺子体３２がハンドル７の真後から移動部材４の雄螺子部２５に回転可能かつ前後方向に移動可能に装着される。
【００３５】
そして、パチンコ遊技機４１の下横枠部材４５が遊技機設置設備５１の下側部材５３に対する取付位置が決められて下側取付器具６２で下側部材５３に固定され、パチンコ遊技機４１の傾斜角度θが所定の角度になるように決められた状態において、ロック部材６とハンドル７とがハンドル７の真後から人為操作で回転されて連結部１６を前後方向から挟み付けてパチンコ遊技機４１を遊技機設置設備５１に所定の傾斜角度θで取り付ける。
【００３６】
図１に示したように、遊技機取付装置６１でパチンコ遊技機４１が遊技機設置設備５１に取り付けられた状態において、心ない遊技者がパチンコ遊技機を叩いたり引いたりして前後に移動せるような外力をパチンコ遊技機に加えた場合でも、移動部材４の頭部２６と固定部材５とロック部材６とハンドル７とで設備側部材２と枠側部材３との前後方向の間隔が保持されるので、パチンコ遊技機４１の傾斜角度θが確保できる。
【００３７】
又、張り出し部１５が取付部１３の下縁部から後方に突出し、連結部１６が張り出し部１５の後縁部から下方に突出して連結部１６と前後方向に対向した構成になっているので、心ない遊技者がパチンコ遊技機を叩いたり引いたりして前後に移動せるような外力をパチンコ遊技機に加えた場合でも、設備側部材２における張り出し部１５と連結部１６とが変形を受けにくい。
【００３８】
これに対し、図６に示した遊技機取付装置１００にあっては、設備側部材１０９が上側部材１０３から後方にまっすぐに離れて突出し、その突出した後縁部から下方に縦壁部が突出した構成になっているので、心ない遊技者がパチンコ遊技機１０１を叩いたり引いたりして前後に移動せるような外力をパチンコ遊技機１０１に加えた場合には、設備側部材１０９が上側部材１０３と接触している部分を支点として上側部材１０３から後方にまっすぐに離れた部分と縦壁部とが変形を受けやすい。又、図６に示した遊技機取付装置１００にあっては、上側部材１０３と設備側部材１０９とを互いに結合する有頭ボルト１１７の頭部が上側部材１０３より上横枠部材１０６の側に出っ張らないように上側部材１０３に凹部１１８を設け、この凹部１１８に有頭ボルト１１７の頭部を収容するようになっているので、有頭ボルト１１７で上側部材１０３と設備側部材１０９とを互いに結合する構造が複雑である。図７に示した遊技機取付装置２００にあっては、設備側部材２０９が上側部材２０３から後方にまっすぐに離れて突出し、その突出した後縁部から下方に縦壁部が突出した構成になっているので、心ない遊技者がパチンコ遊技機２０１を叩いたり引いたりして前後に移動せるような外力をパチンコ遊技機２０１に加えた場合には、設備側部材２０９が上側部材２０３と接触している部分を支点として上側部材２０３から後方にまっすぐに離れた部分と縦壁部とが変形を受けやすい。又、図７に示した遊技機取付装置２００にあっては、上側部材２０３と設備側部材２０９とを互いに結合する有頭ボルト２１９の頭部が上側部材２０３より上横枠部材２０６の側に出っ張らないように上側部材２０３に凹部２２０を設け、この凹部２２０に有頭ボルト２１９の頭部を収容するようになっているので、有頭ボルト２１９で上側部材２０３と設備側部材２０９とを互いに結合する構造が複雑である。
【００３９】
図１に戻り、遊技機設置設備５１に取り付けられたパチンコ遊技機４１の傾斜角度θが例えば８９度に設定された状態において、傾斜角度θを８９．５度に変更するには、先ず、ハンドル７が人為操作で回転されて連結部１６から後側に移動して離され、傾斜角度θを少なくとも８９度から８９．５度に変更し得る隙間がハンドル７と連結部１６との間に形成される。その状態において、ロック部材６が人為操作で回転されて連結部１６を後側に押すのに伴い、移動部材４が前側に移動する。この移動部材４の前側への移動に伴い、パチンコ遊技機４１の上部が下横枠部材４５と下側部材５３の上面５７との接触部を支点として前側に移動し、パチンコ遊技機４１の傾斜角度θが８９度から８９．５度に変更される。このように傾斜角度θが８９．５度に変更された状態において、ハンドル７が人為操作で回転されて連結部１６の側に移動し、ロック部材６とハンドル７とで連結部１６を前後方向に挟み付けることで、前記変更後の傾斜角度θ＝８９．５度が維持できる。
【００４０】
又、挟角θを８９度から８８．５度に変更するには、先ず、ロック部材６が人為操作で回転されて連結部１６から前側に移動して離され、傾斜角度θを少なくとも８９度から８８．５度に変更し得る隙間がロック部材６と連結部１６との間に形成される。その状態において、ハンドル７が人為操作で回転されて連結部１６を前側に押すのに伴い、移動部材４が後側に移動する。この移動部材４の後側への移動に伴い、パチンコ遊技機４１の上部が下横枠部材４５と下側部材５３の上面５７との接触部を支点として後側に移動し、パチンコ遊技機４１の傾斜角度θが８９度から８８．５度に変更される。このように傾斜角度θが８８．５度に変更された状態において、ロック部材６が人為操作で回転されて連結部１６の側に移動し、ロック部材６とハンドル７とで連結部１６を前後方向から挟み付けることで、前記変更後の傾斜角度θ＝８８．５度が維持できる。
【００４１】
図３に示した発明を実施するための形態１に係る遊技機取付装置６１でパチンコ遊技機４１を遊技機設置設備５１に取り付けた背面側において、上側取付器具１が左右に分かれて配置され、左右の上側取付器具１により、パチンコ遊技機４１の図１に示した傾斜角度θを左右で同じ角度又は異なる角度に調整することができる。例えば、左の上側取付器具１に対する操作でパチンコ遊技機４１の左側の傾斜角度θを８９度に調整し、右の上側取付器具１に対する操作でパチンコ遊技機４１の右側の傾斜角度θを８９．５度又は８８．５度に調整するというに、左右の傾斜角度θを異なる角度に調整しても良い。
【００４２】
又、左右の上側取付器具１のロック部材６及びハンドル７がハンドル７の真後から人為的に操作できるので、左の上側取付器具１と右の上側取付器具１との左右方向の間隔を大きくすることができる。このように左の上側取付器具１と右の上側取付器具１との左右方向の間隔が大きくなると、左右方向の間隔が狭い時よりも、傾斜角度θを左右で異なる角度に調整することができる。しかも、遊技面４８を正面より見て遊技面４８の中心より左側の領域を流れる玉の動きと、遊技面４８を正面より見て遊技面４８の中心より右側の領域を流れる玉の動きとが、パチンコ遊技機４１の右側の傾斜角度θを反映した動きとなる。左右に隣接するパチンコ遊技機４１の外枠４２の間に形成された空間部６５は、図示のされていないカードサンドと呼ばれる玉貸機器を設置する部分である。
【００４３】
図４，５を用いて、発明を実施するための形態２に係る遊技機取付装置６１について説明する。図４，５に示した遊技機取付装置６１は、左右の上側取付器具１と左右の下側取付器具６２と左右の上側取付器具１のそれぞれに設けられてパチンコ遊技機の傾斜角度を検出する左右の傾斜計７１と左右の傾斜計７１の後面に別々に設けられた左右の計器側モニタ部７２と、左右の傾斜計７１から出力された傾斜角度θに変換した電気信号を入力する管理装置７３と、管理装置７３に接続された装置側モニタ部７４とを具備する。
【００４４】
図４に示したように、左の傾斜計７１は、左の傾斜計７１の内部に設けられた光源からの投光７５を下側部材５３又は下横枠部材４５に設けられた左の反射板７６に照射し、左の反射板７６からの反射光を左の傾斜計７１の内部に設けられた受光素子で集光して左の傾斜計７１と左の反射板７６との間の上下方向の直線距離を傾斜角度θに変換した電気信号を出力するようになっている。又、右の傾斜計７１は、右の傾斜計７１の内部に設けられた光源からの投光７５を下側部材５３又は下横枠部材４５に設けられた右の反射板７６に照射し、右の反射板７６からの反射光を右の傾斜計７１の内部に設けられた受光素子で集光して右の傾斜計７１と右の反射板７６との間の上下方向の直線距離を傾斜角度θに変換した電気信号を出力するようになっている。
【００４５】
傾斜計７１を設備側部材２及び枠側部材３の一方に設け、反射板７６を設備側部材２及び枠側部材３の他方に設け、傾斜計７１からの投光７５で傾斜計７１と反射板７６との間の前後方向の直線距離を傾斜角度θに変換するようにしても適用可能であるが、図４に示したように傾斜計７１と反射板７６との間の上下方向の直線距離を傾斜角度θに変換した方が、測定精度が高くなる。その理由は、傾斜計７１と反射板７６との間の上下方向の直線距離の方が傾斜計７１と反射板７６との間の前後方向の直線距離よりも大きいからである。
【００４６】
左右の傾斜計７１から別々に出力された電気信号は、遊技店に設置された管理装置７３と左右の計器側モニタ部７２とに供給される。管理装置７３は、左右の傾斜計７１から出力された電気信号を管理装置に接続された装置側モニタ部７４に適合する電気信号に変換して装置側モニタ部７４に出力することにより、装置側モニタ部７４が左右の傾斜計７１で測定した傾斜角度θを別々に表す数値で表示する。又、左右の計器側モニタ部７２は、左右の傾斜計７１で測定した傾斜角度θを別々に表す数値で別々に表示する。つまり、左の計器側モニタ部７２が左の傾斜計７１で測定した傾斜角度θを表す数値で表示し、右の計器側モニタ部７２が右の傾斜計７１で測定した傾斜角度θを表す数値で表示する。前記計器側モニタ部７２は、表示された傾斜角度θを表す数値が真後から可視できるようになっているので、作業者が計器側モニタ部７２に表示された数値を確認しながらパチンコ遊技機４１の傾斜角度θを所定の角度に調節することができ、傾斜角度θを所定の角度に調節しやすい。
【００４７】
例えば、斜角度θを表す数値としては、３分５厘を３．５と表示し、４分を４．０と表示し、４分５厘を４．５と表示する。３分５厘はパチンコ遊技機４１の外枠４２の上側が下側よりも後側に１０．６１ｍｍ引っ込む数値であり、４分はパチンコ遊技機の外枠４２の上側が下側よりも後側に１２．１２ｍｍ引っ込む数値であり、４分５厘はパチンコ遊技機の外枠４２の上側が下側よりも後側に１３．６３ｍｍ引っ込む数値である。尚、前記３分５厘、４分、４分５厘のｍｍに換算した値は、１分＝３．０３ｍｍとして計算した値である。パチンコ遊技機４１の外枠４２の上下寸法をａとし、前記３分５厘＝１０．６１ｍｍ、前記４分＝１２．１２ｍｍ、前記４分５厘＝１３．６３ｍｍをｂとすると、ＴＡＮθ＝ａ／ｂ、θ＝ＴＡＮ−１（ａ／ｂ）より傾斜角度θは求められる。例えば、ａ＝８０９ｍｍで、４分５厘＝１３．６３ｍｍの場合、ａ／ｂ＝５９．３３２となり、傾斜角度θ＝ＴＡＮ−１５９．３３２＝８９．０３°となる。
【００４８】
尚、図４，５に示した遊技機取付装置６１において、管理装置７３が遊技店の店営業を管理するホールコンピュータにより構成されても適用可能である。このように管理装置７３をホールコンピュータにより構成した場合において、アウト玉数、セーフ玉数、アウト玉数とセーフ玉数との差玉数、１００個打ち込んだ時に何回デジタルが回るか又は１分間にデジタルが何回回るかを表したスタート率、１００個打ち込んだ時に戻ってくる賞球数を表したベース出玉率、大当たり回数、左の傾斜角度θ、右の傾斜角度θ等を管理データとして収集し、この収集した管理データを装置側モニタ部７４に一覧に表示し、その表示された管理データに基づき左の傾斜角度θと右の傾斜角度θとを人為的に操作して調整してもよい。又、ロック部材６をモータで駆動する機構とハンドル７をモータで駆動する機構とを上側取付器具１に設け、前記ロック部材６をモータで駆動する機構とハンドル７をモータで駆動する機構とを管理データに基づき左の傾斜角度θと右の傾斜角度θとを調整するように制御することも考えられる。
【００４９】
これに対し、特許２６９０４９０号公報に開示された遊技機取付装置は、パチンコ遊技機のアウト玉数及びセーフ玉数等に基づく管理用データが予め設定された限度範囲を逸脱した場合に角度調整装置を傾斜角度検知装置からの角度信号を基準に駆動してパチンコゲーム機の盤面の傾斜角度を前記逸脱量の大小に応じて段階的に変化させるようになっているが、左右の傾斜角度θを別々に制御するようになっていないので、パチンコ遊技機の遊技面を正面より見て遊技面の中心より左側の領域を流れる玉の動きと、遊技面を正面より見て遊技面の中心より右側の領域を流れる玉の動きとが、パチンコ遊技機の左右の傾斜角度θを反映した動きにならない。
【００５０】
尚、傾斜計７１としては、測定距離を傾斜角度θに変換する構造以外に、物体の重力に対する傾きを計測する構造のＭＥＭＳ(Micro-Electro-Mechanical Systems)を利用し作られた傾斜計でも適用可能である。物体の重力に対する傾きを計測する構造のものであれば、反射板７６が不要になる。
【符号の説明】
【００５１】
１    上側取付器具
２    設備側部材
３    枠側部材
４    移動部材
５    固定部材
６    ロック部材
７    ハンドル
１１  当接部
１３  取付部
１４  取付孔
１５  張り出し部
１６  連結部
１７  連結孔
２１  固定部
２２  固定孔
２３  結合部
２４  結合孔
２５  雄螺子部
２６  頭部
３１  基部
３２  雌螺子体
３３  逃げ孔部
３４  凹部
３５  収容室
４１  パチンコ遊技機
４２  外枠
４３  左右の縦枠部材
４４  上横枠部材
４５  下横枠部材
４６  遊技盤
４７  内枠
４８  遊技面
５１  遊技機設置設備
５２  上側部材
５３  下側部材
５４  化粧部材
５５  棚部
５６  腰部材
５７  上面
６１  遊技機取付装置
６２  下側取付器具
６３  固定具
６４  固定具
７１  傾斜計
７２  計器側モニタ部
７３  管理装置
７４  装置側モニタ部
７５  投光
７６  反射板
【図１】
0006397446.tif 000002
【図２】
0006397446.tif 000003
【図３】
0006397446.tif 000004
【図４】
0006397446.tif 000005
【図５】
0006397446.tif 000006
【図６】
0006397446.tif 000007
【図７】
0006397446.tif 000008